(57)【要約】      （修正有）【課題】グラブを清潔な状態に保持するとともに所望の形状とすることができるグラブ用手入れ具を提供する。【解決手段】塑性変形特性を有する合成樹脂素材により成形された保持体１４と、発泡樹脂素材により成形されて保持体１４と一体化されて全体楔形状の芯体１３を構成するパッド体１５と、脱臭抗菌作用を有する布地を素材として袋状に形成されて内部に芯体１３を封装する外装袋体１６とから構成され、保持体１４を所望の形状に変形させるとともに一端側を嵌挿端部としてグラブの指袋内に嵌挿される。【選択図】図１
0003179144.tif 000002
【実用新案登録請求の範囲】
【請求項１】
塑性変形特性を有する合成樹脂素材により短冊状に成形されてなる保持体と、発泡樹脂素材により成形され前記保持体と一体化されて全体楔形状の芯体を構成するパッド体と、抗菌防臭特性を有する布地を素材として袋状に形成されて内部に前記芯体を封装する外装袋体とから構成され、
前記保持体を所望の形状に変形させるとともに一端側を嵌挿端部としてグラブの指袋内に嵌挿されるグラブ用手入れ具。
【請求項２】
前記芯体は、基端部側から前記嵌挿端部側に向かって次第に厚みを小さくされるとともに、前記嵌挿端部の先端部位を丸形の形状に形成された請求項１に記載のグラブ用手入れ具。
【請求項３】
前記芯体は、前記保持体が少なくともその第１主面のみを外方に臨ませて前記パッド体と一体化されてなる請求項１又は請求項２に記載のグラブ用手入れ具。
【請求項４】
前記嵌挿端部と対向する長さ方向の他端部を基端部とし、この基端部に指掛け紐を取り付けてなる請求項１乃至請求項３のいずれか１項に記載のグラブ用手入れ具。
【考案の詳細な説明】
【技術分野】
【０００１】
本考案は、野球やソフトボール用のグラブに用いられ、グラブを所定の形状とする形状矯正を行うとともに乾燥促進作用や制菌作用によりいやな臭いや雑菌の発生を防止して清潔な状態に保持するグラブ用手入れ用具に関する。
【背景技術】
【０００２】
野球やソフトボール用のグラブにおいては、新品或いは型くずれが生じてしまった場合に、使用者が、ボールを確実に捕球するために捕球面を好みの形状とする形状形成（形状矯正）が行われる。グラブの形状矯正は、使用者が、一般に手入れ口から手を入れた状態でボールを捕球面内で包み込み、このボール包み込み状態を保持しながら手を抜き出した後に、バンド等の保持具によってグラブを結束し、この結束状態を保持することにより行われていた。すなわち、グラブの形状形成は、ボールの形状に倣った捕球面の形成作業であり、使用者がそれぞれ使い勝手に合わせて捕球面形成を行うことができなかった。
【０００３】
特許文献１には、細長い塑性変形可能な棒状の形状を有して各指袋内に差し込まれて所定の力で変形されることにより当該指袋部分及びその根元に連続している捕球面を目標とする形状に矯正するとともに、この矯正状態を長時間保持するグラブの形状矯正具が記載されている。グラブの形状矯正具は、使用時には指袋から引き抜かれることにより、グラブを任意の形状に矯正することが可能である。しかしながら、かかるグラブの形状矯正具は、各指袋に対してそれぞれ位置合わせした状態で差し込む操作が極めて面倒であり、使い勝手が悪いといった問題がある。
【０００４】
一方、グラブは、使用することにより埃等が付着して汚れるとともに手から出た汗が指袋の内部等に籠もり、そのまま放置しておくとカビや雑菌等が発生し或いは不快臭が発生するといった問題があった。そのため、グラブは、使用後の手入れがかかせないが、指袋の内部まできれいにすることは困難であった。
【０００５】
特許文献２には、手形形状や足形形状に形成されるとともに輻射エネルギーを放射して脱臭、抗菌する抗菌剤を装填した脱臭抗菌処理具が記載されている。脱臭抗菌処理具は、グラブやシューズ等に挿入することより脱臭抗菌処理が行われるようにする。しかしながら、かかる脱臭抗菌処理具も、各指部位を各指袋に対してそれぞれ位置合わせした状態で差し込む操作が極めて面倒であり、使い勝手が悪いといった問題がある。
【先行技術文献】
【特許文献】
【０００６】
【特許文献１】特開２００６−８７７８２号公報
【特許文献２】特開平１１−５７０９５号公報
【考案の概要】
【考案が解決しようとする課題】
【０００７】
野球やソフトボール用のグラブにおいては、上述したように使用者によってそれぞれの使い勝手に合わせた捕球面の形状矯正或いは汗や汚れ等を除去して清浄な状態とする等の手入れが行われる。使用者は、上述した先行文献に記載されたような個別の手入れ用に提供された用具を用いて手入れを行わなければならず、面倒であるとともに用具代の負担も大きい。また、いずれの手入れ用具も、各指袋の奥深くまで確実かつ簡易に嵌挿することが困難であるため、使い勝手が悪くかつ脱臭抗菌の効果も十分に発揮されないといった問題があった。
【０００８】
したがって、本考案は、簡易な操作により、グラブを所望の形状としたり型くずれを防止する等の形状矯正とともに各指袋内を効率よく清潔な状態に保持する廉価で使い勝手のよいグラブ用手入れ具を提供することを目的とする。
【課題を解決するための手段】
【０００９】
上述した目的を達成する本考案にかかるグラブ用手入れ具は、積層状態に一体化されることにより全体楔形状の芯体を構成する保持体及びパッド体と、この芯体を封装する外装袋体とから構成される。グラブ用手入れ具は、保持体が、ある程度の機械的強度を有するとともに容易に湾曲させることが可能でありかつ湾曲状態が保持される、例えばポリ塩化ビニル樹脂（ＰＶＣ）等の塑性変形特性を有する合成樹脂素材により短冊状に成形されてなる。グラブ用手入れ具は、パッド体が、通気性や弾力性或いは易加工特性等を有する、例えばエチレン−酢酸ビニル共重合樹脂（ＥＶＡ）等の発泡樹脂素材により成形され保持体と一体化されて芯体を構成する。グラブ用手入れ具は、外装袋体が、抗菌防臭特性及び吸湿特性を有する布地を素材として内部に芯体を封装する袋状に形成されてなる。
【００１０】
グラブ用手入れ具は、使用後等のグラブに対して一端側を嵌挿端部としてその指袋内に嵌挿されるとともに、グラブを使用する等に際して基端部を把持して指袋内から引き抜かれる。グラブ用手入れ具は、予め芯体を所定の形状に湾曲させて指袋内に嵌挿することによって嵌挿した指袋を芯体の湾曲に倣って湾曲させるとともにその湾曲状態を保持する。グラブ用手入れ具は、指袋内の奥深くまで嵌挿され、外装袋体の抗菌防臭特性や吸湿特性によって指袋内に籠もった汗やぬめり等を吸い取るとともに不快な臭いの脱臭或いはカビや雑菌を除菌をして清潔な状態とする。
【００１１】
グラブ用手入れ具は、芯体が、基端部側から嵌挿端部側に向かって次第に厚みを小さくするとともに嵌挿端部の先端部位を丸形とした指形の形状とされる。グラブ用手入れ具においては、かかる指形形状によって指袋内への嵌挿が簡便に行われるとともに指袋の内面に密着して抗菌防臭作用や吸湿作用等が効率的に行われるようにする。
【００１２】
グラブ用手入れ具は、芯体が、保持体の少なくともその第１主面のみを外方に臨ませてパッド体と一体化されてなる。グラブ用手入れ具は、パッド体により外装袋体が指袋の内面全体に密着して抗菌防臭作用や吸湿作用等がより効率的に奏されるようになる。
【００１３】
グラブ用手入れ具は、嵌挿端部と対向する長さ方向の他端部を基端部とし、この基端部に指掛け紐を取り付けてなる。グラブ用手入れ具は、グラブの指袋に嵌挿した状態から指掛け紐を把持して容易に引き抜き操作を行うことが可能である。また、グラブ用手入れ具は、指掛け紐を利用して複数本を束ねたり、洗濯後に吊り下げて干すといったことも可能であり、使い勝手がよい。
【図面の簡単な説明】
【００１４】
【図１】本考案の実施の形態として示すグラブ用手入れ具の側面図である。
【図２】同グラブ用手入れ具の外装袋体を取り外した芯体の正面図である。
【図３】同芯体の断面図である。
【図４】同グラブ用手入れ具の使用形態の説明図である。
【考案を実施するための形態】
【００１５】
以下、本考案の実施の形態として図面に示したグラブ用手入れ具（以下、手入れ具と略称する。）１０について詳細に説明する。手入れ具１０は、使用者が野球やソフトボール用のグラブ１を手入れする際に用いられる。また、手入れ具１０は、使用者がグラブ１の捕球面を適宜の形状とすることでボールを確実に捕球できるようにして使い勝手の向上を図るとともに型くずれ防止等を図る形状矯正を行う際に用いられる。さらに、手入れ具１０は、使用者が、グラブ１を使用した後に指袋内に籠もった汗やぬめり等を吸い取るとともに不快な臭いのもとになるカビや雑菌を除去して清潔な状態とするために用いられる。
【００１６】
手入れ具１０は、詳細を後述するように全体が指形形状を呈しており、基端部１１を把持してグラブ１に対して、図４に示すように先端側の嵌挿端部１２をグラブ１の手入れ口２から各指袋３Ａ〜３Ｅ（以下、特定の指袋を示す以外は符号３で総称する。）のいずれかに嵌挿する。手入れ具１０は、グラブ１のすべての指袋分を用意してそれぞれ嵌挿する使用形態ばかりでなく、例えば親指指袋３Ａと人差し指袋３Ｂと中指袋３Ｃのみのように特定の指袋を対象として用いる使用形態であってもよい。
【００１７】
手入れ具１０は、図１に示すように、保持体１４とパッド体１５を一体化してなる芯体１３と、この芯体１３を封装した外装袋体１６とから構成される。手入れ具１０は、外装袋体１６の一端側に保持袋体１７を連設し、芯体１３を封装して基端部１１の外装を構成する。手入れ具１０は、この保持袋体１７を介して基端部１１に指掛け紐１８を取り付けて構成する。
【００１８】
手入れ具１０は、芯体１３が、図２及び図３に示すように全体棒状を呈している。芯体１３は、基端部１１から嵌挿端部１２側に向かって次第に厚みを小さくされた全体楔形状を呈している。さらに、芯体１３は、嵌挿端部１２の先端部位が全周に亘って丸形とされており、棒状かつ楔状の形状によって全体が指形形状を呈している。芯体１３は、かかる指形形状により指袋３内の奥深くまで簡便に嵌挿することが可能であるとともに嵌挿した状態おいて外周面が指袋３の内面に密着することができる。
【００１９】
芯体１３は、保持体１４が、ある程度の機械的強度を有するとともにやや強い力を加えることにより湾曲等に変形させることが可能でありかつその変形状態が保持される塑性変形特性を有する合成樹脂素材、例えばポリ塩化ビニル樹脂（ＰＶＣ）により短冊状に成形されてなる。保持体１４は、図２に示すように上述した指形形状の芯体１３に合わせて先端部が円形に形成されている。保持体１４は、合成樹脂素材により成形することで、軽量であるとともに機械的強度も大きい。
【００２０】
芯体１３は、パッド体１５が、通気性や弾力性或いは易加工特性等を有してジョギングシューズのソール材等にも用いられる発泡樹脂素材、例えばエチレン−酢酸ビニル共重合樹脂（ＥＶＡ）により成形される。パッド体１５は、先端側に向かって次第に厚みを小さくしかつ先端部位を全周に亘って丸形に形成されることにより上述した芯体１３の外形形状、すなわち指形形状を構成する外形を呈している。また、パッド体１５は、図２及び図３に示すように保持体１４よりも大きな外形を有するとともに、一方主面に保持体収納凹部１９が形成される。
【００２１】
芯体１３は、保持体１４をパッド体１５の保持体収納凹部１９内に収納して接着剤により固定してなる。なお、パッド体を型抜き方法で一体に製作し収納凹部を設けなく保持体１４を形成することも可能である。芯体１３は、比較的硬い保持体１４の外周をパッド体１５が覆う構成であることから、保持体１４のエッジで使用者の指先等を傷つけてしまうといった不都合を生じさせることは無い。芯体１３は、後述するように手入れ具１０をグラブ１の指袋３に嵌挿した状態においてパッド体１５が圧縮された状態となっており、このパッド体１５の反撥力により指袋３の内面全体に密着する。また、芯体１３は、全体が楔形の指形形状とされることにより、指袋３内への嵌挿がスムーズかつ簡便に行われるとともに奥深くまで嵌挿することが可能である。
【００２２】
芯体１３は、使用者がグラブ１を使い勝手のよい任意の形状に矯正するために、所定の形状に湾曲される。芯体１３は、上述した塑性変形特性を有する保持体１４を湾曲させることにより、パッド体１５も一体となって湾曲する。芯体１３は、湾曲状態を保持することにより、指袋３内に嵌挿されるとグラブ１を強制的に変形させるとともにこの状態を保持することで捕球面を目標とする形状に矯正する。
【００２３】
手入れ具１０は、外装袋体１７が、抗菌防臭特性及び吸湿特性を有する布地を素材として内部に芯体１３を封装する先端側を閉塞した袋状に形成されてなる。すなわち、外装袋体１７は、例えば（社）繊維評価技術協議会が認定してＳＥＫマークが付された抗菌防臭性の肌着、衣服、靴下等の各種衣類、或いは制菌性が必要な医療施設用ユニフォーム、さらには寝具やタオル類等の日用品類等と同等の抗菌防臭特性を有する布地が用いられて形成される。また、外装袋体１７は、例えば東レ株式会社製のコンフォートセンサ（登録商標）を用いた各種スポーツウェアと同等の吸汗速乾特性を有する布地が用いられて形成される。
【００２４】
外装袋体１７は、手入れ具１０が指袋３内に嵌挿された状態において、指袋３の内面全体に密着する。外装袋体１７は、抗菌防臭特性を指袋３の内部に作用させることにより不快な臭いの脱臭或いはカビや雑菌を除菌をして清潔な状態とする。外装袋体１７は、吸湿作用により指袋３の内部に籠もった汗やぬめり等をすばやく吸い取って芯体１３のパッド体１５内に拡散させることで、不快な臭いの発生を防止するとともに清潔な状態とする。
【００２５】
手入れ具１０は、基端部１１側において芯体１３を保持袋体１７により封装する。保持袋体１７は、比較的強度の大きな人工皮革や例えばポリ塩化ビニル樹脂（ＰＶＣ）等を素材としてキャップ状に形成され、芯体１３を封装した外装袋体１７の開口側を閉塞するようにして一体化される。保持袋体１７は、外装袋体１７とともに手入れ具１０の外装体を構成するとともに、指掛け紐１８の保持部材としても機能する。
【００２６】
指掛け紐１８は、例えば比較的強度の大きな人工皮革等が用いられ、図１に示すように芯体１３のパッド体１５と保持袋体１７とを貫通して形成された通し孔２０に嵌挿して取り付けられる。指掛け紐１８は、両端を結んで輪の状態で取り付けられ、手入れ具１０をグラブ１の指袋３に嵌挿した状態からこれを把持して容易に引き抜き操作を行うことを可能とする。また、指掛け紐１８は、手入れ後に手入れ具１０を吊り下げて干すといったことも可能とする。さらに、指掛け紐１８は、複数本を１組として手入れ具１０を用いる場合に、バラバラにならないように束ね紐としても機能することで使い勝手の向上が図られるようにする。
【００２７】
以上のように構成された手入れ具１０は、図４に示すようにグラブ１に対してその手入れ口２を介して指袋３内に嵌挿される。手入れ具１０は、全体指形形状であることから治具等を不要として指袋３の奥深くまでスムーズに嵌挿することが可能である。手入れ具１０は、複数本を使用する場合でも、相互に位置決めしながら各指袋３に嵌挿する操作を不要とする。手入れ具１０は、グラブ１を使用する場合等において、指掛け紐１８を把持して指袋３から容易に引き抜き操作を行うことを可能とする。
【００２８】
手入れ具１０は、上述したように指袋３の奥深くまで嵌挿されるとともに、指袋３内に嵌挿された状態おいて圧縮されたパッド体１５の反撥力を受けて外装袋体１７が指袋３の内面と密着状態を保持されている。したがって、手入れ具１０は、外装袋体１７の有する抗菌防臭特性或いは吸湿特性が指袋３に効率的に作用し、不快な臭いの脱臭或いはカビや雑菌を除菌するとともに汗やぬめり等をすばやく吸い取って清潔な状態とする。
【００２９】
手入れ具１０は、例えば最初にグラブ１の形状矯正を行うために用いる場合には、湾曲させることなく指袋３内に嵌挿させればよい。手入れ具１０は、指袋３内に嵌挿した状態で例えば捕球面内にボールを包み込んでグラブ１を目標とする形状に矯正すると保持体１４がこれに倣って適宜湾曲し、指袋３内において芯体１３が湾曲する。手入れ具１０は、芯体１３の湾曲状態、すなわち矯正状態をそのまま保持することにより、グラブ１を所望の形状に矯正する。
【００３０】
なお、手入れ具１０は、上述したようにグラブ１の使用時等において指掛け紐１８を把持して指袋３から引き抜かれるが、保持体１４の湾曲状態がそのまま保持されている。手入れ具１０は、芯体１３が湾曲状態であっても指袋３内に嵌挿することが可能であり、グラブ１の使用後に湾曲状態のままで指袋３内に再嵌挿されて再び所望の形状矯正を行う。
【００３１】
なお、本考案は、図面を参照して説明した実施の形態として示した上述した手入れ具１に限定されるものではなく、添付の実用新案登録請求の範囲及びその要旨を逸脱することなく、様々な変更、置換或いは同等に構成されることは当業者にとって明らかである。
【符号の説明】
【００３２】
１  グラブ、２  手入れ口、３  指袋、１０  手入れ具、１１  基端部、１２  嵌挿端部、１３  芯体、１４  保持体、１５  パッド体、１６  外装袋体、１７  保持袋体、１８  指掛け紐、１９  保持体収納凹部、２０  通し孔
【図１】
0003179144.tif 000003
【図２】
0003179144.tif 000004
【図３】
0003179144.tif 000005
【図４】
0003179144.tif 000006